(57)【要約】【課題】  視認性および操作性が高いナビゲーション装置を提供すること。【解決手段】  表示部を有するナビゲーション装置１０において、表示部の縁にアイコンを表示するアイコン表示手段（ＣＰＵ１１，ビデオ回路１５）と、アイコンが操作されたことを検出する検出手段（入力装置１９）と、検出手段によって検出された操作回数に応じた所定の情報を表示部に表示する情報表示手段（ＣＰＵ１１，ビデオ回路１５）と、を有する。【選択図】  図１
2005207972.tif 000002
【特許請求の範囲】
【請求項１】
表示部を有するナビゲーション装置において、
上記表示部の縁にアイコンを表示するアイコン表示手段と、
上記アイコンが操作されたことを検出する検出手段と、
上記検出手段によって検出された操作回数に応じた所定の情報を上記表示部に表示する情報表示手段と、
を有することを特徴とするナビゲーション装置。
【請求項２】
前記アイコン表示手段は、前記表示部の４隅のいずれかの近傍に前記アイコンを表示することを特徴とする請求項１記載のナビゲーション装置。
【請求項３】
前記情報表示手段は、前記アイコンから前記表示部の縁に沿って伸張した枠を表示し、前記検出手段によって検出された操作回数に応じた情報を上記枠の内部に表示することを特徴とする請求項１記載のナビゲーション装置。
【請求項４】
前記アイコン表示手段は、前記表示部の４隅のいずれかの近傍に前記アイコンを表示し、
前記情報表示手段は、前記アイコンから前記表示部の横方向の縁に沿って伸張した第１の枠と、前記アイコンから前記表示部の縦方向の縁に沿って伸張した第２の枠とを表示し、前記検出手段によって検出された操作回数に応じた情報を上記第１および第２の枠の内部に表示することを特徴とする請求項３記載のナビゲーション装置。
【請求項５】
前記情報表示手段は、前記検出手段によって検出された操作回数が１ずつ増加するごとに、所定の情報を順番に切り換えて前記表示部に表示し、所定の数の情報を繰り返し表示することを特徴とする請求項１から４のうちいずれか１項記載のナビゲーション装置。
【請求項６】
前記アイコン表示手段は、前記情報表示手段によって表示された情報に関する文字情報または図形情報を前記アイコンの内部に表示し、前記検出手段によって操作が検出されるごとに、前記アイコンを所定の角度だけ回転させ、前記アイコンの内部に表示された文字情報または図形情報のうち、前記情報表示手段によって表示されている情報に対応する文字情報または図形情報を判読可能な状態とすることを特徴とする請求項１記載のナビゲーション装置。
【請求項７】
前記情報表示手段は、前記検出手段によって検出された操作回数に応じた２種類の互いに異なる所定の第１および第２の情報を前記表示部に表示し、
前記アイコン表示手段は、前記アイコンを２分割した第１領域と第２領域について、上記第１の情報に関する文字情報または図形情報を上記第１領域に表示し、上記第２の情報に関する文字情報または図形情報を上下反転させて上記第２領域に表示し、前記検出手段によって操作が検出されるごとに前記アイコンを１８０度だけ回転させること、
を特徴とする請求項６記載のナビゲーション装置。
【請求項８】
表示部を有するナビゲーション装置での情報呈示方法において、
上記表示部の縁にアイコンを表示するアイコン表示ステップと、
上記アイコンが操作されたことを検出する検出ステップと、
上記検出ステップによって検出された操作回数に応じた所定の情報を上記表示部に表示する情報表示ステップと、
を有することを特徴とする情報呈示方法。
【請求項９】
表示部を有するナビゲーション装置において実行されるコンピュータ読み取り可能なナビゲーション用プログラムにおいて、
コンピュータを、
上記表示部の縁にアイコンを表示するアイコン表示手段、
上記アイコンが操作されたことを検出する検出手段、
上記検出手段によって検出された操作回数に応じた所定の情報を上記表示部に表示する情報表示手段、
として機能させることを特徴とするコンピュータ読み取り可能なナビゲーション用プログラム。
【発明の詳細な説明】
【技術分野】
【０００１】
本発明は、ナビゲーション装置、情報呈示方法、およびナビゲーション用プログラムに関する。
【背景技術】
【０００２】
ナビゲーション装置は、ＧＰＳ（Global Positioning Systems）衛星から送信される信号を受信して自車の現在位置を検出するとともに、各種センサにより検出される自車に関する情報およびナビゲーション装置の記録装置に記録されている地図情報に基づいて、自車の現在位置と地図データの道路形状とをマッチングさせ、表示部に表示された地図上に自車の現在位置を表示する。
【０００３】
このようなナビゲーション装置においては、自車位置の修正、ＧＰＳ受信状況の確認、目的地の設定、縮尺変更、地図表示方位変更などの設定を行う必要がある。しかしながら、従来のナビゲーション装置においては、これらの各機能を設定するには、ナビゲーション画面を設定用の画面に切り換える必要があり、ユーザの操作が煩雑であった。
【０００４】
そこで、そこで、そのような課題を解決するために、特許文献１に示すような技術が提案されている。この技術では、ナビゲーション機能に対応する項目を表示部にアイコンとして重畳表示することで、前述の不具合を解消している。
【０００５】
【特許文献１】特開２００３−１１４１２９号公報（請求の範囲、要約書）
【発明の開示】
【発明が解決しようとする課題】
【０００６】
ところで、近年のナビゲーション装置は、本来のナビゲーションに関する機能の他、例えば、オーディオ再生機能などを含む多くの機能を有するが、表示部は設置スペースの関係から依然として小型であり、それらの機能に関する情報を表示部に重畳表示すると、特許文献１に示す技術では、地図情報やそれらの機能に関する情報の視認性が低下してしまうという問題点がある。また、視認性の低下に伴い操作性も低下するという問題点がある。
【０００７】
本発明は、上記の事情に基づきなされたもので、その目的とするところは、視認性および操作性が高いナビゲーション装置、情報呈示方法、およびナビゲーション用プログラムを提供することを目的とする。
【課題を解決するための手段】
【０００８】
上述の目的を達成するため、本発明は、表示部を有するナビゲーション装置において、表示部の縁にアイコンを表示するアイコン表示手段と、アイコンが操作されたことを検出する検出手段と、検出手段によって検出された操作回数に応じた所定の情報を表示部に表示する情報表示手段と、を有している。
【０００９】
また、他の発明は、上述の発明に加えて、アイコン表示手段は、表示部の４隅のいずれかの近傍にアイコンを表示するようにしている。
【００１０】
また、他の発明は、上述の発明に加えて、情報表示手段は、アイコンから表示部の縁に沿って伸張した枠を表示し、検出手段によって検出された操作回数に応じた情報を枠の内部に表示するようにしている。
【００１１】
また、他の発明は、上述の各発明に加えて、アイコン表示手段は、表示部の４隅のいずれかの近傍にアイコンを表示し、情報表示手段は、アイコンから表示部の横方向の縁に沿って伸張した第１の枠と、アイコンから表示部の縦方向の縁に沿って伸張した第２の枠とを表示し、検出手段によって検出された操作回数に応じた情報を第１および第２の枠の内部に表示するようにしている。
【００１２】
また、他の発明は、上述の各発明に加えて、情報表示手段は、検出手段によって検出された操作回数が１ずつ増加するごとに、所定の情報を順番に切り換えて表示部に表示し、所定の数の情報を繰り返し表示するようにしている。
【００１３】
また、他の発明は、上述の発明に加えて、アイコン表示手段は、情報表示手段によって表示された情報に関する文字情報または図形情報をアイコンの内部に表示し、検出手段によって操作が検出されるごとに、アイコンを所定の角度だけ回転させ、アイコンの内部に表示された文字情報または図形情報のうち、情報表示手段によって表示されている情報に対応する文字情報または図形情報を判読可能な状態とするようにしている。
【００１４】
また、他の発明は、上述の各発明に加えて、情報表示手段は、検出手段によって検出された操作回数に応じた２種類の互いに異なる所定の第１および第２の情報を表示部に表示し、アイコン表示手段は、アイコンを２分割した第１領域と第２領域について、第１の情報に関する文字情報または図形情報を第１領域に表示し、第２の情報に関する文字情報または図形情報を上下反転させて第２領域に表示し、検出手段によって操作が検出されるごとにアイコンを１８０度だけ回転させるようにしている。
【００１５】
また、本発明は、表示部を有するナビゲーション装置での情報呈示方法において、表示部の縁にアイコンを表示するアイコン表示ステップと、アイコンが操作されたことを検出する検出ステップと、検出ステップによって検出された操作回数に応じた所定の情報を表示部に表示する情報表示ステップと、を有するようにしている。
【００１６】
また、本発明は、表示部を有するナビゲーション装置において実行されるコンピュータ読み取り可能なナビゲーション用プログラムにおいて、コンピュータを、表示部の縁にアイコンを表示するアイコン表示手段、アイコンが操作されたことを検出する検出手段、検出手段によって検出された操作回数に応じた所定の情報を表示部に表示する情報表示手段、として機能させるようにしている。
【発明の効果】
【００１７】
本発明は、視認性および操作性が高いナビゲーション装置、情報呈示方法、およびナビゲーション用プログラムを提供することができる。
【発明を実施するための最良の形態】
【００１８】
以下、本発明の一実施の形態について図に基づいて説明する。
【００１９】
図１は、本発明の実施の形態に係るナビゲーション装置の構成例を示すブロック図である。この図に示すように、本発明の実施の形態に係るナビゲーション装置１０は、ＣＰＵ（Central Processing Unit）１１、ＲＯＭ（Read Only Memory）１２、ＲＡＭ（Random Access Memory）１３、ＨＤＤ（Hard Disk Drive）１４、ビデオ回路１５、Ｉ／Ｆ（Interface）１６、バス１７、ＬＣＤ（Liquid Crystal Display）１８、入力装置１９、センサ２０、ＧＰＳ装置２１、および音声出力装置２２を有している。
【００２０】
ここで、アイコン表示手段の一部であり、情報表示手段の一部であるＣＰＵ１１は、ＨＤＤ１４に格納されているプログラムに応じて、各種演算処理を実行するとともに、装置の各部を制御する中央処理装置である。
【００２１】
ＲＯＭ１２は、ＣＰＵ１１が実行するプログラムを格納した半導体記憶装置である。ＲＡＭ１３は、ＣＰＵ１１が実行するプログラムを一時的に記憶する半導体記憶装置である。
【００２２】
ＨＤＤ１４は、ＣＰＵ１１が実行するプログラムを格納するとともに、地図情報を格納している。アイコン表示手段の一部であり、情報表示手段の一部であるビデオ回路１５は、ＣＰＵ１１から供給された描画コマンドに応じた描画処理を実行するとともに、描画処理の結果として得られた画像を映像信号に変換してＬＣＤ１８へ出力する。
【００２３】
Ｉ／Ｆ１６は、入力装置１９、センサ２０、およびＧＰＳ装置２１からの出力される信号の表現形式を変換して入力するとともに、音声出力装置に対して出力する信号の表現形式を変換する。バス１７は、ＣＰＵ１１、ＲＯＭ１２、ＲＡＭ１３、ＨＤＤ１４、ビデオ回路１５、およびＩ／Ｆ１６を相互に接続し、これらの間で情報の授受を可能とするための信号線群である。
【００２４】
ＬＣＤ１８は、ビデオ回路１５から出力される映像信号を表示するための表示装置である。図２は、ＬＣＤ１８の詳細を説明するための図である。この図に示すように、ＬＣＤ１８は、中央に表示部１８ａが配置されており、その周辺には入力装置１９としてのハードウエアボタン１９ｂ〜１９ｇが配置されている。また、表示部１８ａには表示装置１９としてのタッチパネル１９ａが重畳するように配置されているので、表示部１８ａに表示されている画像情報等を参照してタッチパネル１９ａを操作することにより、所望の情報を入力することができる。
【００２５】
この例では、表示部１８ａには、車両の現在地の周辺地図が表示されている。ハードウエアボタン１９ｂは、例えば、音声出力装置２２から出力される音声の音量を調整する場合に操作されるボタンである。ハードウエアボタン１９ｃは、例えば、ＣＤ（Compact Disk（登録商標））の再生を開始する場合に操作されるボタンである。ハードウエアボタン１９ｄは、ポイントメニューを表示する場合に操作されるボタンである。ハードウエアボタン１９ｅは、表示部１８ａの表示される情報を、ナビゲーションおよびＴＶ（テレビジョン映像）のいずれかから選択する場合に操作されるボタンである。ハードウエアボタン１９ｆは、ＣＤ、ＤＶＤ（Digital Versatile Disk）の再生を停止する場合に操作される。ハードウエアボタン１９ｇは、ＤＶＤの再生を開始する場合に操作されるボタンである。
【００２６】
図１に戻って、検出手段である入力装置１９は、前述したように、ＬＣＤ１８の表示部に重畳するように配置されたタッチパネル１９ａおよびハードウエアボタン１９ｂ〜１９ｇを有しており、操作者の操作に応じた情報を生成して出力する。
【００２７】
センサ２０は、車両の速度を示す車速センサ、車両の各制御軸の角速度を示す角速度センサ、およびサイドブレーキの操作状態を示すサイドブレーキセンサを有している。
【００２８】
ＧＰＳ装置２１は、複数のＧＰＳ人工衛星から発信される情報を利用して、車両の現在位置（緯度・経度・高度）を得る装置である。音声出力装置２２は、ＣＰＵ１１から供給されたデータをＤ／Ａ（Digital to Analog）変換し、音声として出力する。
【００２９】
つぎに、本発明の実施の形態に係るナビゲーション装置の動作について説明する。なお、以下の動作は、ＣＰＵ１１がナビゲーション用プログラムを実行することにより実現される。
【００３０】
図３は、ナビゲーション装置に電源が投入された直後のＬＣＤ１８の表示例を示す図である。なお、この図では、図面を見やすくするために、地図情報を表示しない状態を示しているが、実際には地図情報にアイコンが重畳して表示されている。
【００３１】
図３において、アイコン３０は、方位磁針を模したアイコンであり、地図上における南北方向を指示する。アイコン３１は、現在の時刻を示すアイコンである。アイコン３２は、ＶＩＣＳ情報を受信した時刻を示している。アイコン３３は、テレビジョンの受信チャンネルを示すアイコンである。アイコン３４は、説明文を表示する際に操作されるアイコンである。アイコン３５は、目的地まで到達するまでに必要な料金（高速道路の通行料金等）を示すアイコンである。アイコン３６は、ゴール（目的地）までの距離と、到着予定時刻を示すアイコンである。アイコン３７は、表示部１８ａの運転席寄りの下側隅に配置され、トグルボタンであり、このボタンが操作されると、ナビゲーション装置の設定またはオーディオの設定を行うことができる。なお、この例では、アイコン３７は、表示部１８ａの運転席寄りの下側隅に配置され、六角形の形状を有しており、その内部には、シャッターが閉まったような状態が表されている。
【００３２】
つぎに、アイコン３７が操作された場合の動作について説明する。この実施の形態では、アイコン３７の表示部分におけるタッチパネル１９ａが押圧されることで、アイコン３７が操作される。
【００３３】
アイコン３７が１回操作されると、ＣＰＵ１１は、タッチパネル１９ａの出力を参照し、アイコン３７が操作されたことを検出し、ＨＤＤ１４から所定の情報を読み出し、ビデオ回路１５に供給する。その結果、図３のアイコン３７の内部に表示されているシャッターを模した図形が回転しつつ開いて、図４のようなアイコン３７ａが表示される。
【００３４】
図４の表示例では、六角形のアイコン３７ａの上半分（第１領域）にはオーディオを示す音符が表示されている。また、下半分（第２領域）にはナビゲーションを示す文字列「ＮＡＶ」が上下反対に表示されている。また、上半分の音符については、アクティブの状態であることを示すために強調表示されている（例えば、色を変えて表示されている。なお、この例では、ハッチングが施されている）。
【００３５】
つぎに、ＣＰＵ１１は、オーディオ用のメニューを表示するための情報をＨＤＤ１４から取得し、ビデオ回路１５に供給する。その結果、ＬＣＤ１８には、図５に示すような情報が表示される。
【００３６】
図５に示す表示例では、右下隅のアイコン３７ａから表示部１８ａの縁に沿って上方向に第１の枠３８が表示され、左方向に第２の枠３９が表示されている。枠３８，３９にはオーディオ再生に関する情報が表示されている。また、枠３８には、表示窓３８ａと表示窓３８ｂが表示されている。表示窓３８ａには、再生する対象が表示される。この例ではＭＰ３（MPEG-1 audio layer 3）ファイルが再生の対象として表示されている。表示窓３８ｂには現在再生中のトラックの番号が表示される。この例では、２０トラックのうち、第３番目のトラックが再生中であることが示されている。
【００３７】
枠３９には、ボタン３９ａ〜３９ｄおよび表示窓３９ｅが表示されている。ここで、ボタン３９ａは、再生を停止する場合に操作される。ボタン３９ｂは、再生を開始する場合に操作される。ボタン３９ｃは、早送りをする場合に操作される。ボタン３９ｄは、巻き戻しをする場合に操作される。表示窓３９ｅには、現在再生中の楽曲のタイトルが表示される。
【００３８】
このような画面において、運転者は、所望のボタンを操作することにより、目的の楽曲を再生することが可能になる。なお、ナビゲーションの設定を行う場合には、ボタン操作を行わずに、つぎに説明するようにアイコン３７ａを再度操作する。
【００３９】
図５に示す状態において、アイコン３７ａの表示部分のタッチパネル１９ａが再度押圧されて、アイコン３７ａが再度操作されると、ＣＰＵ１１は、タッチパネル１９ａの出力を参照し、アイコン３７ａが操作されたことを検出する。アイコン３７ａが操作されたことを検出すると、ＣＰＵ１１は、表示上、アイコン３７ａを１８０度回転させる処理を実行する。すなわち、ＨＤＤ１４から所定の情報を読み出し、ビデオ回路１５に供給する。その結果、ＬＣＤ１８には図６に示すような情報が表示される。
【００４０】
図６の表示例では、アイコン３７ａは、１８０度回転したアイコン３７ｂに置換されている。アイコン３７ｂの形状は、アイコン３７ａと同様の六角形であるが、文字「ＮＡＶ」が上半分に表示されており、アイコン３７ａのように上下反転していないので判読可能となっている。また、アイコン３７ｂの上半分は現在アクティブであるため強調表示されている（この例では、ハッチングが施されている）。アイコン３７ｂの下半分には、音符が逆さまに表示されている。
【００４１】
つぎに、ＣＰＵ１１は、ナビゲーション装置用のメニューを表示するための情報をＨＤＤ１４から読み出し、ビデオ回路１５に供給する。その結果、ＬＣＤ１８には、図７に示すような情報が表示される。
【００４２】
図７に示す表示例では、右下隅のアイコン３７ｂの上方向には表示部１８ａの縁に沿って枠４０が表示され、また、アイコン３７ｂの左方向には表示部１８ａの縁に沿って枠４１が表示されている。枠４０，４１には、ナビゲーション機能の各種設定に関する情報が表示されている。枠４０の内部にはボタン４０ａ，４０ｂおよびインジケータ４０ｃが表示されている。ここで、ボタン４０ａは、音声出力装置２２から出力されるナビゲーション音声の音量を上げる場合に操作され、ボタン４０ｂは音量を下げる場合に操作される。インジケータ４０ｃは、音量レベルを表示する。
【００４３】
枠４１の内部にはボタン４１ａ〜４１ｄおよび表示窓４１ｅが表示されている。ここで、ボタン４１ａは、メニューのショートカットを表示する場合に操作される。ボタン４１ｂは、予め登録されている運転者の自宅へ帰る場合操作される。ボタン４１ｃは、ゴール（目的地）に関する情報を表示する場合に操作される。ボタン４１ｄは、ルート検索を行った際に、経路上に発生している渋滞に関する情報を表示する場合に操作される。表示窓４１ｅは、道路情報が表示される。この例では、「１．３ｋｍ  打越３丁目交差点」が表示されており、１．３ｋｍ先に打越３丁目交差点が存在することが示されている。
【００４４】
このような画面を参照することにより、運転者は、交通情報等の種々の情報を得ることができるとともに、ナビゲーション装置の各種設定を行うことが可能になる。
【００４５】
そして、図７に示す画面において、アイコン３７ｂが再度操作された場合には、ＣＰＵ１１は、ＨＤＤ１４から所定の情報を読み出し、ビデオ回路１５に供給する。その結果、ＬＣＤ１８には図３の情報が表示されることになる。すなわち、元の状態に復元する。
【００４６】
以上に説明したように、本発明の実施の形態では、トグルボタンであるアイコン３７が１回操作されると、図５に示すようにオーディオの操作メニューが表示され、また、２回操作されると、図７に示すようにナビゲーション用の操作メニューが表示され、３回操作されると図３の状態に復元する。その結果、通常の状態では、表示部１８ａの一部にアイコン３７が表示されるのみであるので、地図情報の視認性を低下させることがない。また、同一のアイコン３７の操作回数に応じて、異なるメニューが表示されるようにしたので、多くの領域を必要とすることなく、種々のメニューを表示することができる。
【００４７】
また、以上の実施の形態では、アイコン３７を表示部１８ａの右下に表示するようにしたので、右ハンドル車の場合の運転者はＬＣＤ１８の端部を手探りで見つけ、そこから少し内側に手を移動することにより、アイコン３７を簡単に見つけて操作することができる。なお、左ハンドル車の場合には、アイコン３７を表示部１８ａの左下隅に表示し、枠３８〜４１を上方向と、右方向へ表示部１８ａの縁に沿って表示するようにすればよい。
【００４８】
また、以上の実施の形態では、アイコン３７の内部を２つに分割し、上部と下部のそれぞれに２つのメニューに対応する文字または図形を表示し、アクティブとなっているメニューに対応する文字または図形を判読可能となるようにしたので（この例では正常な向きとなるようにしたので）、どちらのメニューがアクティブになっているのかを簡易に知ることが可能になる。
【００４９】
また、枠３８〜４１については、表示部１８ａの周辺（縁）部分に沿って表示するようにしたので、地図情報の視認性を低下させることなく、メニューを表示することが可能になる。つまり、以上の実施の形態では、枠３８〜４１の幅（すなわち、短手方向の長さ）は、アイコン３７（３７ａ，３７ｂ）の径以下とされており、枠３８〜４１が、アイコン３７（３７ａ，３７ｂ）から伸張して表示されても、地図情報の縁部分のみが隠されるだけであるので、視認性を維持することができる。
【００５０】
なお、以上の実施の形態においては、枠３８〜４１に表示されるボタンについては、通常の表示形式としたが、例えば、図８に示すように、つぎに操作される可能性が高いボタンについては点滅表示するようにしてもよい。
【００５１】
図８の例は、音声の再生が停止状態である場合を示す表示例である。この場合には、つぎに操作されるボタンは、楽曲を再生するための「再生」ボタン３９ｂである可能性が高いので、ボタン３９ｂが所定の間隔で点滅する態様で表示されている。このような表示形態によれば、運転者が運転中に視野の周辺部分でＬＣＤ１８を眺めている場合であっても、再生するためのボタン３９ｂを確実に操作することが可能になる。
【００５２】
また、図９に示すように、操作の頻度が高いボタンを点滅表示するようにしてもよい。すなわち、図９の例では、渋滞情報を表示するためのボタン４１ｄの操作頻度が他のボタンに比較して高いので、ボタン４１ｄが点滅表示されている。このような実施の形態によれば、前述の場合と同様に、運転者が運転中で、視野の周辺部分でＬＣＤ１８を眺めている場合であっても、ボタン４１ｄを確実に操作することが可能になる。
【００５３】
なお、以上の実施の形態では、アイコン３７，３７ａ，３７ｂは、六角形の形状としたが、これ以外の形状であってもよい。また、以上の実施の形態では、アイコン３７には２つの機能（オーディオの設定機能とナビゲーションの設定機能）を持たせるようにしたが、これら以外の機能を持たせてもよいし、３つ以上の機能を持たせてもよい。機能の数がｎである場合、アイコン３７の内部は、ｎ分割され、分割された各領域には、各機能をそれぞれ示す文字や図形が配される。さらにその場合には、アイコン３７の１回の操作につき、３６０／ｎ度ずつアイコン３７が回転されて表示される。
【００５４】
また、以上の実施の形態では、アイコン３７を表示部１８ａの右下隅に表示するようにしたが、これ以外の場所に表示することも可能である。なお、運転者はＬＣＤ１８の右側に位置する場合が多いので、アイコン３７は右下または右上に配置することが望ましい。
【００５５】
なお、上述の実施の形態は、本発明の好適な例であるが、本発明は、これらに限定されるものではなく、本発明の要旨を逸脱しない範囲において、種々の変形、変更が可能である。
【００５６】
例えば、以上の実施の形態では、ナビゲーション装置を車両に取り付ける場合を例に挙げて説明を行ったが、車両のみならず、船舶、航空機等に取り付けることも可能であることはいうまでもない。
【００５７】
また、以上の実施の形態では、入力装置１９としてはタッチパネルを例に挙げて説明したが、タッチパネルではなく、リモートコントローラを利用することも可能である。
【００５８】
また、以上の実施の形態では、初期状態においても図３に示すように、アイコン３７を表示させているが、初期状態ではアイコン３７を消しておき、表示部１８ａのタッチパネルが押圧されると、アイコン３７等が表示されるようにしてもよい。あるいは、初期状態では、アイコン３７を半透明とし、アイコン３７を視認可能とし、背後の地図情報も視認できるようにしてもよい。
【００５９】
なお、上記の処理機能は、例えば、図１に示すコンピュータによって実現される。その場合、ナビゲーション装置が有すべき機能の処理内容を記述したプログラムが提供される。そのプログラムをコンピュータで実行することにより、処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ(Digital Versatile Disk)、ＤＶＤ−ＲＡＭ(Random Access Memory)、ＣＤ−ＲＯＭ(Compact Disk Read Only Memory)、ＣＤ−Ｒ(Recordable)／ＲＷ(ReWritable)などがある。光磁気記録媒体には、ＭＯ(Magneto-Optical disk)などがある。
【００６０】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００６１】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【００６２】
本発明は、表示部を有するナビゲーション装置に利用することができる。
【図面の簡単な説明】
【００６３】
【図１】本発明の実施の形態に係るナビテーション装置の構成例を示すブロック図である。
【図２】図１に示す実施の形態のＬＣＤに表示される画面の一例を説明するための図である。
【図３】図１に示す実施の形態に係るナビゲーション装置の動作を説明するための図である。
【図４】図３に示すアイコン３７を操作した場合に表示される画面の一例を示す図である。
【図５】図４に続いて表示される画面の一例を示す図である。
【図６】図５に示すアイコン３７ａを操作した場合に表示される画面の一例を示す図である。
【図７】図６に続いて表示される画面の一例を示す図である。
【図８】図５に示す画面の他の表示の形態を示す図である。
【図９】図７に示す画面の他の表示の形態を示す図である。
【符号の説明】
【００６４】
１０  ナビゲーション装置
１１  ＣＰＵ（アイコン表示手段の一部、情報表示手段の一部）
１５  ビデオ回路（アイコン表示手段の一部、情報表示手段の一部）
１９  入力装置（検出手段）
【図１】
2005207972.tif 000003
【図２】
2005207972.tif 000004
【図３】
2005207972.tif 000005
【図４】
2005207972.tif 000006
【図５】
2005207972.tif 000007
【図６】
2005207972.tif 000008
【図７】
2005207972.tif 000009
【図８】
2005207972.tif 000010
【図９】
2005207972.tif 000011